(57)【特許請求の範囲】
【請求項１】
操作部本体に前後方向に細長く形成されたスリット内において操作ワイヤの基端が連結されたワイヤ取付部材に、上記スリット外に突出した形状のスライド操作部材が取り付けられ、上記ワイヤ取付部材を上記スライド操作部材で上記スリットの長手方向に沿って移動させることにより、上記操作ワイヤが軸線方向に進退操作されるように構成された内視鏡用処置具の操作部において、
上記ワイヤ取付部材に対する上記スライド操作部材の取り付け位置を、上記スリットの長手方向において相違する複数箇所の中から任意に選択することができる取付位置可変手段を設け、上記ワイヤ取付部材に対する上記スライド操作部材の取り付け位置を変えることにより、上記スリット内における上記ワイヤ取付部材の最大可動距離が変化するようにし、
上記ワイヤ取付部材が、上記スリットの長手方向に沿って複数の透孔が形成されて上記操作部本体に軸線方向に進退自在に被嵌された筒状部を備え、上記スライド操作部材は、上記透孔に上記スリットの内側から係合する係合突起と、その係合突起を上記透孔に係合させる方向に付勢する付勢手段とを備え、上記係合突起を上記付勢手段の付勢力に抗して変位させて上記複数の透孔の中の任意の透孔に対し係合させることにより、上記ワイヤ取付部材に対する上記スライド操作部材の取り付け位置を選択することができることを特徴とする内視鏡用処置具の操作部。
【請求項２】
上記付勢手段が上記スライド操作部材を形成する部材自体で形成されて、その付勢手段の先端に上記係合突起が突出形成されている請求項１記載の内視鏡用処置具の操作部。
【請求項３】
上記係合突起を変位させるための押込用突起が上記付勢手段に外方に向かって突出形成されていて、その押込用突起が通過する案内溝が、上記複数の透孔を結んで上記ワイヤ取付部材の筒状部に形成されている請求項２記載の内視鏡用処置具の操作部。
【請求項４】
上記付勢手段が、上記スライド操作部材を形成する部材とは別のスプリングで形成されている請求項１記載の内視鏡用処置具の操作部。
【発明の詳細な説明】
【技術分野】
【０００１】
この発明は、内視鏡の処置具挿通チャンネルに通して使用される内視鏡用処置具の操作部に関する。
【背景技術】
【０００２】
内視鏡用処置具としては、操作ワイヤが軸線方向に可動に挿通配置されたシース部と、その操作ワイヤを進退操作するためのスライド操作部材が配置された操作部とを備え、そのようなシース部と操作部とが分離自在に構成されて、複数のシース部を一つの操作部に付け替え使用することができるようにしたものが少なくない。
【０００３】
ただし、一つの操作部を複数種類のシース部に対して使用する場合には、操作ワイヤの必要最大ストロークの相違に対応してスライド操作部材の最大可動距離をユーザーが調整できるようにする必要がある。最大可動距離が不足すると処置具の機能が発揮できず、最大可動距離が過多の場合は、シース部の先端から処置部材が飛び出しすぎて、処置部材やシース部等が破損したり座屈したりする恐れがある。
【０００４】
そこで従来は、操作部本体に、スライド操作部材の最大可動距離を制限するためのストッパを任意に位置を変えて固定することができるように取り付けている（例えば、特許文献１）。
【特許文献１】特開平１１−３３２８７０
【発明の開示】
【発明が解決しようとする課題】
【０００５】
特許文献１に記載された発明では、ストッパを操作部本体に対して手動固定ねじ又は凹凸の係合等で固定している。
しかし、手動固定ねじによる固定は極めて不確実であって、操作中にストッパが移動してしまう恐れがある。また、凹凸の係合で固定する構造では、スリットで全体に左右に分断されている操作部本体の強度が凹部でさらに低下してしまい、ストッパの固定位置を変更する際には操作部本体を大きく弾性変形させるので（特許文献１、図７）、操作部本体を破損してしまう場合があるだけでなく、その変更操作も簡単ではない。
【０００６】
本発明は、ユーザーが、操作部本体の強度低下を招くことなくスライド操作部材の最大可動距離を容易かつ確実に調整することができて、一つの操作部を複数種類のシース部に対し自由に付け替えて良好な状態で使用することができる内視鏡用処置具の操作部を提供することを目的とする。
【課題を解決するための手段】
【０００７】
上記の目的を達成するため、本発明の内視鏡用処置具の操作部は、操作部本体に前後方向に細長く形成されたスリット内において操作ワイヤの基端が連結されたワイヤ取付部材に、スリット外に突出した形状のスライド操作部材が取り付けられ、ワイヤ取付部材をスライド操作部材でスリットの長手方向に沿って移動させることにより、操作ワイヤが軸線方向に進退操作されるように構成された内視鏡用処置具の操作部において、ワイヤ取付部材に対するスライド操作部材の取り付け位置を、スリットの長手方向において相違する複数箇所の中から任意に選択することができる取付位置可変手段を設け、ワイヤ取付部材に対するスライド操作部材の取り付け位置を変えることにより、スリット内におけるワイヤ取付部材の最大可動距離が変化するようにし、ワイヤ取付部材が、スリットの長手方向に沿って複数の透孔が形成されて操作部本体に軸線方向に進退自在に被嵌された筒状部を備え、スライド操作部材は、透孔にスリットの内側から係合する係合突起と、その係合突起を透孔に係合させる方向に付勢する付勢手段とを備え、係合突起を付勢手段の付勢力に抗して変位させて複数の透孔の中の任意の透孔に対し係合させることにより、ワイヤ取付部材に対するスライド操作部材の取り付け位置を選択することができるようにしたものである。
【０００９】
そして、付勢手段がスライド操作部材を形成する部材自体で形成されて、その付勢手段の先端に係合突起が突出形成されていてもよく、その場合、係合突起を変位させるための押込用突起が付勢手段に外方に向かって突出形成されていて、その押込用突起が通過する案内溝が、複数の透孔を結んでワイヤ取付部材の筒状部に形成されていてもよい。或いは、付勢手段が、スライド操作部材を形成する部材とは別のスプリングで形成されていてもよい。
【発明の効果】
【００１０】
本発明によれば、ワイヤ取付部材に対するスライド操作部材の取り付け位置を変えることにより、スリット内におけるワイヤ取付部材の最大可動距離を変化させることができ、ユーザーが、操作部本体の強度低下を招くことなくスライド操作部材の最大可動距離を容易かつ確実に調整することができて、一つの操作部を複数種類のシース部に対し自由に付け替えて良好な状態で使用することができる。
【発明を実施するための最良の形態】
【００１１】
操作部本体に前後方向に細長く形成されたスリット内において操作ワイヤの基端が連結されたワイヤ取付部材に、スリット外に突出した形状のスライド操作部材が取り付けられ、ワイヤ取付部材をスライド操作部材でスリットの長手方向に沿って移動させることにより、操作ワイヤが軸線方向に進退操作されるように構成された内視鏡用処置具の操作部において、ワイヤ取付部材に対するスライド操作部材の取り付け位置を、スリットの長手方向において相違する複数箇所の中から任意に選択することができる取付位置可変手段を設け、ワイヤ取付部材に対するスライド操作部材の取り付け位置を変えることにより、スリット内におけるワイヤ取付部材の最大可動距離が変化するようにする。
【実施例】
【００１２】
以下、図面を参照して本発明の実施例を説明する。
図１、図２及び図３は内視鏡用処置具の操作部の側面断面図、平面断面図及び平面図である。
【００１３】
図示されていない内視鏡の処置具挿通チャンネルに挿脱される可撓性シース１の基端が連結された操作部本体１１は、前後方向に細長い棒状に形成されて、中心軸線位置を通る前後方向に細長いスリット１２により、前後両端付近の領域を除いて左右に分断された形状に形成されている。操作部本体１１の後端部には、操作者の手の第１指を係合させるための固定指掛け１３が設けられている。
【００１４】
操作部本体１１の先端部分には、可撓性シース１の基端に固着された接続口金２が着脱自在に連結され、そこでは、ダルマ状の孔が形成された口金押え部材１４に接続口金２の括れ部が通されて係合している。
【００１５】
即ち、図２におけるIV−IV断面を図示する図４（Ａ）に示されるように、口金押え部材１４に形成されたダルマ状の孔の径の小さな部分に接続口金２の括れ部が係合した状態では、接続口金２がそこから離脱することができず、可撓性シース１が操作部本体１１に連結された状態になっている。
【００１６】
そして、図４（Ｂ）に示されるように、その部分の周囲を囲んで軸線周りに回転自在に配置された操作輪１５を回転操作すると、それと共に口金押え部材１４が回転して、操作部本体１１から前方に突出形成された庇部１１ａとの位置関係の変化により、口金押え部材１４に形成されたダルマ状の孔の径の大きな部分に接続口金２が係合する状態になる。その結果、接続口金２をそこから離脱させることができ、可撓性シース１を操作部本体１１から取り外すことができる。
【００１７】
図１に戻って、可撓性シース１内に軸線方向に進退自在に全長にわたって挿通配置された操作ワイヤ３の基端部分は、可撓性シース１の基端から操作部本体１１のスリット１２内に引き出されていて、操作ワイヤ３の基端に固着された連結棒４が、スリット１２内でワイヤ取付部材１６に着脱自在に連結されている。
【００１８】
図５はその部分の断面図（図１におけるＶ−Ｖ断面図）であり、連結棒４の軸線に対して垂直の向きにワイヤ取付部材１６に取り付けられたスライド軸１８はその軸線方向に可動であり、スライド軸１８に形成された広幅部と細幅部とを有する孔１９内に連結棒４の括れ部が通されて係合している。
【００１９】
図５に示されるように、スライド軸１８に形成された孔１９の細幅部に連結棒４が係合した状態では、連結棒４がそこから離脱することができず、操作ワイヤ３がワイヤ取付部材１６に連結された状態になっている。
【００２０】
そして、圧縮コイルスプリング２０の付勢力に抗して押しボタン２１を押し込んで、スライド軸１８に形成された孔１９の広幅部に連結棒４の括れ部を係合させると、連結棒４をそこから離脱させることができる（即ち、操作ワイヤ３をワイヤ取付部材１６から取り外せる）状態になる。２２は、図示されていない高周波電源コードを接続するための接続端子であり、スライド軸１８を経由して操作ワイヤ３に高周波電流を通電することができる。
【００２１】
図１等に示されるように、ワイヤ取付部材１６には、スリット１２外に突出した形状のスライド操作部材２４が取り付けられている。スライド操作部材２４には、操作者の第２指と第３指を係合させるための二つのリングが形成されており、ワイヤ取付部材１６をスライド操作部材２４で操作部本体１１の長手方向（即ち、スリット１２の長手方向）に沿って移動させることにより、操作ワイヤ３が軸線方向に進退操作される。
【００２２】
ワイヤ取付部材１６には、操作部本体１１に軸線方向に進退自在に被嵌された筒状部１６ａが一体に備えられており、その筒状部１６ａには、長手方向（即ち、スリット１２の長手方向）に沿って複数（ここでは５個）の透孔２５が一定の間隔をあけて上下両面に形成されている。その状態は、ワイヤ取付部材１６とスライド操作部材２４だけを示す図６に明瞭に図示されている。
【００２３】
スライド操作部材２４は、ワイヤ取付部材１６の透孔２５にスリット１２の内側から係合する係合突起２７と、その係合突起２７を透孔２５に係合させる方向に付勢する付勢手段とを備えており、この実施例では、スライド操作部材２４を形成する硬質プラスチック製の板状部自体を部分的に弾性変形し易いよう幅狭に形成してその部分を付勢部２８とし、その先端に係合突起２７が突出形成されている。
【００２４】
また、係合突起２７を変位させるための押込用突起２９が付勢部２８に外方に向かって突出する状態に一体に形成されており、ワイヤ取付部材１６の筒状部１６ａには、押込用突起２９が通過可能な案内溝３０が複数の透孔２５の中心位置を結ぶ状態に真っ直ぐに形成されている。なお、押込用突起２９と案内溝３０は各々、係合突起２７と透孔２５に比べて細幅に形成されていて、各透孔２５が案内溝３０に対し左右に出っ張った形状になっている。
【００２５】
このように構成された内視鏡用処置具の操作部においては、図１に示されるように、係合突起２７が５個の透孔２５の中の最先端位置の透孔２５に係合する状態から、図７に順に示されるように、押込用突起２９を指先で内側に押し下げ、付勢部２８の付勢力に抗して付勢部２８を弾性変形させて係合突起２７を内方に変位させることにより（Ａ）、ワイヤ取付部材１６とスライド操作部材２４を軸線方向に相対的に移動させることができ（Ｂ）、それから複数の透孔２５の中の任意の透孔２５に対し係合突起２７を係合させることができる（Ｃ）。
【００２６】
このようにして、ワイヤ取付部材１６に対するスライド操作部材２４の取り付け位置を、スリット１２の長手方向において相違する複数箇所の中から任意に選択することができる取付位置可変手段が透孔２５と係合突起２７等により形成されており、スライド操作部材２４の最大可動距離（即ち、操作ワイヤ３の最大ストローク）は、ワイヤ取付部材１６とスライド操作部材２４の合計長とスリット１２の長さとの差に略等しい。
【００２７】
その結果、図８及び図９に例示されるように、ワイヤ取付部材１６に対するスライド操作部材２４の取り付け位置を変えることにより、スリット１２内におけるワイヤ取付部材１６の最大可動距離Ｌ１，Ｌ２を変化させることができ、ユーザーが、操作部本体１１の強度低下を招くことなくスライド操作部材２４のスライド量を容易かつ確実に調整することができて、一つの操作部を複数種類のシース部（可撓性シース１＋操作ワイヤ３）に対し自由に付け替えて良好な状態で使用することができる。
【００２８】
図１０は本発明の第２の実施例の内視鏡用処置具の操作部の側面断面図、図１１はそのワイヤ取付部材１６とスライド操作部材２４のみを示す斜視図であり、スライド操作部材２４が、一般的な鋏の構造と同様に支軸１２９を中心に回動する二つの部材に分けられて、その各々の先端に係合突起２７が突出形成され、係合突起２７を広がり方向に付勢する付勢手段が、スライド操作部材２４を形成する部材とは別のスプリング１２８で形成されている。それに伴って、ワイヤ取付部材１６の筒状部１６ａ側には第１の実施例では形成されていた案内溝３０が形成されていない。その他の構成は第１の実施例と同様である。
【００２９】
このように構成された内視鏡用処置具の操作部の場合も、図１２に示されるように、二つの部材からなるスライド操作部材２４をスプリング１２８の付勢力に抗して閉じ方向に操作して、係合突起２７を透孔２５から内方に外すことにより（Ａ）、複数の透孔２５の中の任意の透孔２５に対し係合突起２７を係合させることができ（Ｂ，Ｃ）、第１の実施例と同様の作用効果が得られる。
【図面の簡単な説明】
【００３０】
【図１】本発明の第１の実施例の内視鏡用処置具の操作部の側面断面図である。
【図２】本発明の第１の実施例の内視鏡用処置具の操作部の平面断面図である。
【図３】本発明の第１の実施例の内視鏡用処置具の操作部の平面図である。
【図４】本発明の第１の実施例の図２におけるIV−IV断面図である。
【図５】本発明の第１の実施例の図１におけるＶ−Ｖ断面図である。
【図６】本発明の第１の実施例の内視鏡用処置具の操作部の一部を分解して示す斜視図である。
【図７】本発明の第１の実施例の内視鏡用処置具の操作部の調整動作を順に示す側面断面図である。
【図８】本発明の第１の実施例の内視鏡用処置具の操作部の調整後の動作を示す側面断面図である。
【図９】本発明の第１の実施例の内視鏡用処置具の操作部の調整後の状態を示す側面断面図である。
【図１０】本発明の第２の実施例の内視鏡用処置具の操作部の側面断面図である。
【図１１】本発明の第２の実施例の内視鏡用処置具の操作部の一部を分解して示す斜視図である。
【図１２】本発明の第２の実施例の内視鏡用処置具の操作部の調整動作を順に示す側面断面図である。
【符号の説明】
【００３１】
１  可撓性シース
３  操作ワイヤ
１１  操作部本体
１２  スリット
１６  ワイヤ取付部材
１６ａ  筒状部
２４  スライド操作部材
２５  透孔（取付位置可変手段）
２７  係合突起（取付位置可変手段）
２８  付勢部（付勢手段）
２９  押込用突起
３０  案内溝
１２８  スプリング（付勢手段）
【図１】
0005244418.tif 000002
【図２】
0005244418.tif 000003
【図３】
0005244418.tif 000004
【図４】
0005244418.tif 000005
【図５】
0005244418.tif 000006
【図６】
0005244418.tif 000007
【図７】
0005244418.tif 000008
【図８】
0005244418.tif 000009
【図９】
0005244418.tif 000010
【図１０】
0005244418.tif 000011
【図１１】
0005244418.tif 000012
【図１２】
0005244418.tif 000013